(57)【要約】  階段昇降機は、水平面に対してある傾斜角で少なくとも部分的に階段に沿って据え付けられたレールと、レールに沿って移動可能なフレームとを備える。フレームには椅子が搭載され、フレームには、レールに係合する支持および駆動手段が設けられ、椅子は、２つの回転端位置の間でフレームに関して鉛直軸を中心に回転可能であり、椅子は、人が着席することができる座席を含み、椅子は、座席に着席している人が自分の脚を置くことができる足載せ台を含み、座席および足載せ台は、相互に異なる角度で鉛直軸を中心に回転可能である。
2015519273.tif 000002
【特許請求の範囲】
【請求項１】
水平面に対してある傾斜角で少なくとも部分的に階段に沿って据え付けられたレールと、前記レールに沿って移動可能なフレームとを備える階段昇降機であって、前記フレームには椅子が搭載され、前記フレームには、前記レールに係合する支持および駆動手段が設けられ、前記椅子は、２つの回転端位置の間でフレームに関して鉛直軸を中心に回転可能であり、前記椅子は、人が着席することができる座席を含み、前記椅子は、前記座席に着席している人が自分の脚を置くことができる足載せ台を含み、前記座席および前記足載せ台は、相互に異なる角度で前記鉛直軸を中心に回転可能であることを特徴とする、階段昇降機。
【請求項２】
前記足載せ台が前記鉛直軸を中心に実質的に妨げられることなく回転すると、前記足載せ台が前記レール沿いのある箇所で前記レールに接触し得るように、前記足載せ台は、ほぼ前記支持および駆動手段の高さに位置する、請求項１に記載の階段昇降機。
【請求項３】
前記足載せ台の回転は、接続手段によって前記座席の回転にリンクされ、前記座席の少なくとも１つの回転端位置では、前記足載せ台は、前記座席ほど大きく回転端位置まで回転していない、請求項１または２に記載の階段昇降機。
【請求項４】
前記足載せ台の前記２つの回転端位置の間の前記座席の回転と前記足載せ台の回転とは、前記座席および前記足載せ台が鉛直軸を中心に同じ角度で回転するようにリンクされ、前記座席は、前記座席の少なくとも１つの回転端位置までさらに回転することができ、前記足載せ台は、前記少なくとも１つの回転端位置にとどまる、請求項３に記載の階段昇降機。
【請求項５】
前記椅子は、前記座席および前記足載せ台を鉛直軸を中心に回転させるように設計される駆動手段を含む、先行する請求項のうちいずれか１項に記載の階段昇降機。
【請求項６】
前記駆動手段は、前記座席が前記少なくとも１つの端の位置までさらに回転すると、前記足載せ台の前記少なくとも１つの端の位置における前記足載せ台の回転と、前記座席の回転とのリンクを解除するリンク解除手段を含む、請求項５に記載の階段昇降機。
【請求項７】
前記足載せ台の前記少なくとも１つの回転端位置は、調整可能に設定することができる、先行する請求項のうちいずれか１項に記載の階段昇降機。
【請求項８】
階段昇降機のためのフレームであって、前記フレームは、水平面に対してある傾斜角で少なくとも部分的に階段に沿って据え付けられたレールに沿って移動可能であり、前記フレームには椅子が搭載され、前記フレームには、前記レールに係合することができる支持および駆動手段が設けられ、前記椅子は、２つの回転端位置の間で前記フレームに関して鉛直軸を中心に回転可能であり、前記椅子は、人が着席することができる座席を含み、前記椅子は、前記座席に着席している人が自分の脚を置くことができる足載せ台を含み、前記座席および前記足載せ台は、相互に異なる角度で前記鉛直軸を中心に回転可能であることを特徴とする、階段昇降機のためのフレーム。
【請求項９】
階段昇降機のための椅子であって、前記椅子は、前記椅子をフレームに搭載するためのフレーム搭載手段を備え、前記フレームは、水平面に対してある傾斜角で少なくとも部分的に階段に沿って据え付けられたレールに沿って移動可能であり、前記椅子は、２つの回転端位置の間で前記フレームに関して鉛直軸を中心に回転可能であり、前記椅子は、人が着席することができる座席を含み、前記椅子は、前記座席に着席している人が自分の脚を置くことができる足載せ台を含み、前記座席および前記足載せ台は、相互に異なる角度で前記鉛直軸を中心に回転可能であることを特徴とする、階段昇降機のための椅子。
【発明の詳細な説明】
【技術分野】
【０００１】
本発明は、水平面に対してある傾斜角で少なくとも部分的に階段に沿って据え付けられたレールと、レールに沿って移動可能なフレームとを備える階段昇降機に関する。フレームには椅子が搭載され、フレームには、レールに係合する支持および駆動手段が設けられ、椅子は、２つの回転端位置の間でフレームに関して鉛直軸を中心に回転可能であり、椅子は、人が着席することができる座席を含み、椅子は、座席に着席している人が自分の脚を置くことができる足載せ台を含む。本発明は、階段昇降機のためのフレームにも関する。フレームは、水平面に対してある傾斜角で少なくとも部分的に階段に沿って据え付けられたレールに沿って移動可能であり、フレームには椅子が搭載され、フレームには、レールに係合することができる支持および駆動手段が設けられ、椅子は、２つの回転端位置の間でフレームに関して鉛直軸を中心に回転可能であり、椅子は、人が着席することができる座席を含み、椅子は、座席に着席している人が自分の脚を置くことができる足載せ台を含む。本発明はさらに、階段昇降機のための椅子に関する。椅子は、椅子をフレームに搭載するためのフレーム搭載手段を備え、椅子は、２つの回転端位置の間でフレームに関して鉛直軸を中心に回転可能であり、椅子は、人が着席することができる座席を含み、椅子は、座席に着席している人が自分の脚を置くことができる足載せ台を含む。
【背景技術】
【０００２】
このような階段昇降機、階段昇降機のためのフレームおよび椅子は、一般に知られている。階段昇降機の椅子は、狭い通路などの障害物を回避するように、かつ／または、椅子に着席している人が階段昇降機の端部において快適に乗降することが可能となるように、鉛直軸を中心に回転することができる。
【発明の概要】
【発明が解決しようとする課題】
【０００３】
足載せ台がほぼ支持および駆動手段の高さに位置する場合、足載せ台が鉛直軸を中心に妨げられることなく回転すると、足載せ台が、レール沿いの特に屈曲してある箇所でレールに接触することになり得る。椅子の回転の範囲は、これによって制限される。しかし、狭い通路などの、階段に沿った障害物をより良く回避することができるように、または椅子上の人が階段昇降機の端部においてより快適に乗降することが可能となるように、椅子を可能な限り大きく回転可能であることが望ましい。本発明の目的は、この課題への解決策を提供することである。
【課題を解決するための手段】
【０００４】
当該目的を達成するために、座席および足載せ台は、相互に異なる角度で鉛直軸を中心に回転可能である。これにより、座席を足載せ台よりも端の位置までさらに回転させることが可能となり、座席の前辺の一部は、端位置においてレール上方を延在することができる。椅子に着席している人にとって、自分の脚を若干角度をつけて置くことは通常問題ではない。
【０００５】
足載せ台の回転は、好ましくは、接続手段による座席の回転にリンクされ、座席の少なくとも１つの回転端位置では、足載せ台は、座席ほど大きく回転端位置まで回転していない。
【０００６】
足載せ台の２つの回転端位置の間における座席の回転と足載せ台の回転とは、好ましくは、座席および足載せ台が鉛直軸を中心に同じ角度で回転するようにリンクされ、座席は、座席の少なくとも１つの回転端位置までさらに回転することができ、足載せ台は少なくとも１つの回転端位置にとどまる。このように、座席を端位置まで回転させることが必要な場合にのみ回転差が生じる。椅子は、好ましくは、座席および足載せ台を鉛直軸を中心に回転させるように設計される駆動手段を含み、駆動手段は、好ましくは、座席が少なくとも１つの端位置までさらに回転すると、足載せ台の少なくとも１つの端位置における足載せ台の回転と、座席の回転とのリンクを解除するリンク解除手段を含む。
【０００７】
好ましくは、足載せ台の少なくとも１つの回転端位置は調整可能に設定することができ、したがって、階段昇降機が設置されている場所の状況に適合させることができる。
【０００８】
図に示される実施形態を参照して、本発明をより詳細に説明する。
【図面の簡単な説明】
【０００９】
【図１】フレームおよび椅子を含む階段昇降機の斜視図である。
【図２】図１の椅子の斜視図である。
【図３】図１の椅子の回転駆動機構の斜視図である。
【図４】図１の椅子の回転駆動機構の一部の斜視図である。
【図５】図１の椅子の回転駆動機構の図４の矢印Ｖ−Ｖに従った細部の斜視図である。
【図６】図１の椅子の回転駆動機構の一部の分解図である。
【図７】図１の椅子の上面図である。
【図８】図１の椅子の上面図である。
【図９】図１の椅子の上面図である。
【発明を実施するための形態】
【００１０】
図１および図２によれば、階段昇降機は、部分的に水平に延在し、水平面に対してある傾斜角で階段に沿って部分的に据え付けられたレール１、支持および駆動手段によってレール１に係合し、上記レールに沿って移動させることができるフレーム２、ならびにフレーム２に搭載される椅子３を含む。椅子３は、レール１の傾斜角が変化しても椅子３をまっすぐな位置に保持することができるように椅子３が水平軸を中心に回転することができるような態様で、フレーム搭載手段４によってフレーム２に搭載される。
【００１１】
椅子３は、椅子フレーム５、座席６、背もたれ７、肘掛け８、および水平面に延在するプレートの形態の足載せ台９で実質的に構成される。
【００１２】
図３および図４において、座席６および足載せ台９の図示されている部分のみが、接続機構へのそれぞれの取付手段である。
【００１３】
座席６は、背もたれ７および肘掛け８とともに、上側シャフト１０の上端部に搭載される。足載せ台９は、下側シャフト１１の下端部に蝶番式に搭載される。シャフト１０および１１の両方は、椅子フレーム５に回転可能に搭載され、上側シャフトは、座席を回転させる電気モータに接続される。上側シャフト１０は、下に記載されるように接続機構によって下側シャフトに接続される。
【００１４】
図３、図４、図５、および図６を参照して、座席６がその上に搭載される上側シャフト１０に、搭載部１２を介して駆動部１３が搭載される。駆動部１３は、下方に延在する円筒状の外壁を含み、その中に２つの部分からなる円筒状凹部１３１が形成されている（図６参照）。駆動部１３の円筒状の外壁のまわりには、足載せ台のシャフト１１の中空の管状の上端部が配置されている。２つの凹部１１１が上記端部の壁面に形成され、当該凹部内には２つのローラ２１が存在し、その回転軸は鉛直方向にに延在する。円筒１４がシャフト１１の管状の上端部のまわりに配置され、当該円筒には、２つの部分からなる円筒状凹部１４１が内側に設けられている。部分円筒状凹部１３１および１４１の外周壁は、ローラ２１の外周壁に対応する。リング１４とシャフト１１との間には、駆動部１３に固定されるリング１５０に搭載される２つの押出しシリンダ部分１５が延在する。
【００１５】
リング１４、シャフト１１の中空の管状の上端部、駆動部１３の円筒壁、および押出しシリンダ部分１５はすべて、椅子フレーム５に取付けられているフランジ１６の円形孔内に同心円状に延在する。
【００１６】
図７に示す状態では、リング１４は、駆動部１３の凹部１３１にローラ２１を押込み、駆動部１３は、足載せ台９および椅子の座席６がそれぞれのシャフト１０および１１を中心に同期して回転するように、足載せ台９が搭載されているシャフト１１を駆動する。
【００１７】
分離に至る図８に示す状態では、ローラ２１は、駆動部の凹部１３１から円筒１４の壁面の凹部１４１に移動することができ、その結果、座席のシャフトに伴う駆動部１３が足載せ台９に伴うシャフト１１から分離されるため、座席６に伴うシャフトが継続して回転した後、足載せ台９はさらに回転することはできない。
【００１８】
図９によれば、座席６に伴うシャフトおよび駆動部が回転して戻ると、押出しシリンダ部分１５は、駆動部１３の部分円筒状凹部にローラを押返すことになり、その結果、駆動部１３および足載せ台９のシャフト１１が再び再接続され、同期して回転して戻ることになる。
【００１９】
シャフト１０および１１のまわりのリング１４の、外側円筒１６に関する位置は調整可能であるため、分離点およびしたがって足載せ台９の端位置は調整可能である。
【図１】
2015519273.tif 000003
【図２】
2015519273.tif 000004
【図３】
2015519273.tif 000005
【図４】
2015519273.tif 000006
【図５】
2015519273.tif 000007
【図６】
2015519273.tif 000008
【図７】
2015519273.tif 000009
【図８】
2015519273.tif 000010
【図９】
2015519273.tif 000011
【国際調査報告】
2015519273.tif 000012
2015519273.tif 000013